【手続補正書】
【提出日】平成28年9月29日(2016.9.29)
【手続補正１】
【補正対象書類名】特許請求の範囲
【補正対象項目名】全文
【補正方法】変更
【補正の内容】
【特許請求の範囲】
【請求項１】
時分割デュプレクス（ＴＤＤ）通信システム中の受信機におけるタイミング回復を容易にする方法において、
ＴＤＤフレーム中のダウンストリーム送信の最大休止期間を規定することと、
タイミングキープアライブ信号を特定することと、
前記ダウンストリーム送信中に、前記特定されたタイミングキープアライブ信号のダウンストリームを前記受信機に送信することとを含む方法。
【請求項２】
前記タイミングキープアライブ信号はパイロットトーンを含む請求項１記載の方法。
【請求項３】
前記パイロットトーンをデータ担持シンボル中に挿入することをさらに含む請求項２記載の方法。
【請求項４】
前記パイロットトーンを非データ担持シンボル中に挿入することをさらに含む請求項２記載の方法。
【請求項５】
前記送信されたタイミングキープアライブ信号を使用して、前記受信機における受信クロックを更新することをさらに含む請求項１記載の方法。
【請求項６】
前記更新は、位相ロックループを使用して実行される請求項５記載の方法。
【請求項７】
前記受信機における最大許容位相ドリフトに基づいて、前記最大休止期間を規定する請求項１記載の方法。
【請求項８】
Ｔｉｎａｃｔｉｖｅは前記最大休止期間であり、
φｄｒｉｆｔは前記最大許容位相ドリフトであり、
Ｔｉｎａｃｔｉｖｅは、
【数１】
2016507913.tif 000001
にしたがって決定され、
Δfは、基準周波数ｆｏに対する平方自乗平均周波数変動である請求項７記載の方法。
【請求項９】
時分割デュプレクス（ＴＤＤ）通信システムにおいて、
アップストリーム送信機と、
ダウンストリーム受信機とを具備し、
前記ダウンストリーム受信機は、ＴＤＤフレーム中のダウンストリーム送信の最大休止期間を規定し、タイミングキープアライブ信号を特定するように適合されており、
前記送信機は、前記ダウンストリーム送信中に、前記特定されたタイミングキープアライブ信号のダウンストリームを前記受信機に送信するように適合されているＴＤＤ通信システム。
【請求項１０】
前記タイミングキープアライブ信号はパイロットトーンを含む請求項９記載のＴＤＤ通信システム。
【請求項１１】
前記送信機は、前記パイロットトーンをデータ担持シンボル中に挿入するように適合されている請求項１０記載のＴＤＤ通信システム。
【請求項１２】
前記送信機は、前記パイロットトーンを非データ担持シンボル中に挿入するように適合されている請求項１０記載のＴＤＤ通信システム。
【請求項１３】
前記受信機は、前記送信されたタイミングキープアライブ信号を使用して、前記受信機における受信クロックを更新するように適合されている請求項９記載のＴＤＤ通信システム。
【請求項１４】
前記更新は、前記受信機における位相ロックループを使用して実行される請求項１３記載のＴＤＤ通信システム。
【請求項１５】
前記受信機における最大許容位相ドリフトφｄｒｉｆｔに基づいて、前記最大休止期間Ｔｉｎａｃｔｉｖｅを規定し、
Ｔｉｎａｃｔｉｖｅは、
【数２】
2016507913.tif 000002
にしたがって決定され、
Δfは、基準周波数ｆｏに対する平方自乗平均周波数変動である請求項９記載のＴＤＤ通信システム。
【手続補正２】
【補正対象書類名】明細書
【補正対象項目名】００５１
【補正方法】変更
【補正の内容】
【００５１】
［００６０］
特に本発明の好ましい実施形態を参照して本発明を説明してきたが、発明の精神および範囲から逸脱することなく、形態および詳細において変更および修正を行ってもよいことは、当業者に容易に明白となる。添付した特許請求の範囲は、このような変更および修正を含むことを意図している。
以下に、本願出願の当初の特許請求の範囲に記載された発明を付記する。
［１］時分割デュプレクス（ＴＤＤ）通信システム中の受信機におけるタイミング回復を容易にする方法において、
ＴＤＤフレーム中のダウンストリーム送信の最大休止期間を規定することと、
タイミングキープアライブ信号を特定することと、
前記ダウンストリーム送信中に、前記特定されたタイミングキープアライブ信号のダウンストリームを前記受信機に送信することとを含む方法。
［２］前記タイミングキープアライブ信号はパイロットトーンを含む［１］記載の方法。
［３］前記パイロットトーンをデータ担持シンボル中に挿入することをさらに含む［２］記載の方法。
［４］前記パイロットトーンを非データ担持シンボル中に挿入することをさらに含む［２］記載の方法。
［５］前記送信されたタイミングキープアライブ信号を使用して、前記受信機における受信クロックを更新することをさらに含む［１］記載の方法。
［６］前記更新は、位相ロックループを使用して実行される［５］記載の方法。
［７］前記受信機における最大許容位相ドリフトに基づいて、前記最大休止期間を規定する［１］記載の方法。
［８］Ｔｉｎａｃｔｉｖｅは前記最大休止期間であり、
φｄｒｉｆｔは前記最大許容位相ドリフトであり、
Ｔｉｎａｃｔｉｖｅは、
【数５】
2016507913.tif 000003
にしたがって決定され、
Δfは、基準周波数ｆｏに対する平方自乗平均周波数変動である［７］記載の方法。
［９］前記ＴＤＤ通信システムはＧ．ｆａｓｔにしたがっている［１］記載の方法。
［１０］前記ＴＤＤフレームはＬ０状態にある［９］記載の方法。
［１１］前記ＴＤＤフレームはＬ．２．ｘ状態にある［９］記載の方法。
［１２］時分割デュプレクス（ＴＤＤ）通信システムにおいて、
アップストリーム送信機と、
ダウンストリーム受信機とを具備し、
前記ダウンストリーム受信機は、ＴＤＤフレーム中のダウンストリーム送信の最大休止期間を規定し、タイミングキープアライブ信号を特定するように適合されており、
前記送信機は、前記ダウンストリーム送信中に、前記特定されたタイミングキープアライブ信号のダウンストリームを前記受信機に送信するように適合されているＴＤＤ通信システム。
［１３］前記タイミングキープアライブ信号はパイロットトーンを含む［１２］記載のＴＤＤ通信システム。
［１４］前記送信機は、前記パイロットトーンをデータ担持シンボル中に挿入するように適合されている［１３］記載のＴＤＤ通信システム。
［１５］前記送信機は、前記パイロットトーンを非データ担持シンボル中に挿入するように適合されている［１３］記載のＴＤＤ通信システム。
［１６］前記受信機は、前記送信されたタイミングキープアライブ信号を使用して、前記受信機における受信クロックを更新するように適合されている［１２］記載のＴＤＤ通信システム。
［１７］前記更新は、前記受信機における位相ロックループを使用して実行される［１６］記載のＴＤＤ通信システム。
［１８］前記受信機における最大許容位相ドリフトに基づいて、前記最大休止期間を規定する［１２］記載のＴＤＤ通信システム。
［１９］Ｔｉｎａｃｔｉｖｅは前記最大休止期間であり、
φｄｒｉｆｔは前記最大許容位相ドリフトであり、
Ｔｉｎａｃｔｉｖｅは、
【数６】
2016507913.tif 000004
にしたがって決定され、
Δfは、基準周波数ｆｏに対する平方自乗平均周波数変動である［１８］記載のＴＤＤ通信システム。
［２０］前記ＴＤＤ通信システムはＧ．ｆａｓｔにしたがっている［１２］記載のＴＤＤ通信システム。